(57)【特許請求の範囲】
【請求項１】
コネクタを有する基板と、
前記基板を保護する電気品上カバーと、
前記基板を保護し、前記コネクタに接続するケーブルを通すための溝が側面に形成された電気品下カバーと、
背面側に位置する筐体と、
前記筐体の前記ケーブルの引き込み口側の側面に着脱自在に取り付けられ、前記ケーブルを囲う分割筐体と、を備えた
ことを特徴とするエネルギー計測装置。
【請求項２】
前記分割筐体は樹脂製であり、側面の内側に溝が複数形成されている
ことを特徴とする請求項１に記載のエネルギー計測装置。
【請求項３】
前記分割筐体は、
少なくとも側面の一部を切り取ることができる
ことを特徴とする請求項２に記載のエネルギー計測装置。
【請求項４】
前記筐体は樹脂製であり、側面の内側に溝が複数形成されている
ことを特徴とする請求項１〜３のいずれか一項に記載のエネルギー計測装置。
【請求項５】
前記筐体は、
少なくとも側面の一部を切り取ることができる
ことを特徴とする請求項４に記載のエネルギー計測装置。
【請求項６】
前記分割筐体は分割筐体側第一嵌合部を備え、
前記筐体は前記分割筐体側第一嵌合部を嵌合可能な形状の筐体側第一嵌合部を備え、
前記分割筐体側第一嵌合部を、前記筐体側第一嵌合部に前記筐体の正面側から背面側に向かって押し込むことにより前記分割筐体を前記筐体へ取り付ける
ことを特徴とする請求項１〜５のいずれか一項に記載のエネルギー計測装置。
【請求項７】
前記筐体は、前記分割筐体側第一嵌合部を前記筐体側第一嵌合部に前記筐体の正面側から背面側に向かって押し込む際に、背面側への動きを抑制するストッパー部を有する
ことを特徴とする請求項６に記載のエネルギー計測装置。
【請求項８】
前記分割筐体を前記筐体へ取り付けた際、
前記筐体は、前記筐体の正面側から背面側に向かう方向に対して垂直方向の動きを抑制する
ことを特徴とする請求項１〜７のいずれか一項に記載のエネルギー計測装置。
【請求項９】
前記分割筐体側第一嵌合部は前記分割筐体の左右側面側に設けられ、
前記筐体側第一嵌合部は前記筐体の前記引き込み口側の側面の左右に設けられている
ことを特徴とする請求項６、請求項７、および、請求項６に従属する請求項８のいずれか一項に記載のエネルギー計測装置。
【請求項１０】
前記分割筐体は穴を有する分割筐体側第二嵌合部を備え、
前記筐体は凸部を有する筐体側第二嵌合部を備え、
前記分割筐体を前記筐体へ取り付ける際に、
前記分割筐体側第二嵌合部の穴を前記筐体側第二嵌合部の凸部に嵌める
ことを特徴とする請求項６〜９のいずれか一項に記載のエネルギー計測装置。
【請求項１１】
前記分割筐体側第二嵌合部は前記分割筐体の中央に設けられ、
前記筐体側第二嵌合部は前記筐体の引き込み口側の側面の中央に設けられている
ことを特徴とする請求項１０に記載のエネルギー計測装置。
【発明の詳細な説明】
【技術分野】
【０００１】
本発明は、配線作業を容易に行うことができるエネルギー計測装置に関するものである。
【背景技術】
【０００２】
従来、積算電力計器用ボックスを設置するために壁面などの設置面に取り付けられる取付板（筐体）において、取付板（筐体）の底面部（分割筐体）を別体に形成して着脱自由に設けたものがある（例えば、特許文献１参照）。
【０００３】
特許文献１に記載の取付板（筐体）は、電線などのケーブルを通すための穴が形成されている。
【先行技術文献】
【特許文献】
【０００４】
【特許文献１】実公平４−４１８３号公報（例えば、第１図、第４図）
【発明の概要】
【発明が解決しようとする課題】
【０００５】
しかし、従来のこの種の取付板（筐体）は、取付板（筐体）を通したケーブルを、さらに底面部（分割筐体）に形成された穴に通す必要があったため、配線作業に手間がかかるという課題があった。また、穴にケーブルを通し忘れたり、通す方向を間違えたりする可能性があった。
【０００６】
本発明は、以上のような課題を解決するためになされたもので、穴にケーブルを通し忘れたり、通す方向を間違えたりすることを抑制し、配線作業を容易に行うことができるエネルギー計測装置を提供することを目的としている。
【課題を解決するための手段】
【０００７】
本発明に係るエネルギー計測装置は、コネクタを有する基板と、前記基板を保護する電気品上カバーと、前記基板を保護し、前記コネクタに接続するケーブルを通すための溝が側面に形成された電気品下カバーと、背面側に位置する筐体と、前記筐体の前記ケーブルの引き込み口側の側面に着脱自在に取り付けられ、前記ケーブルを囲う分割筐体と、を備えたものである。
【発明の効果】
【０００８】
本発明に係るエネルギー計測装置によれば、筐体の穴にケーブルを通すのではなく、筐体の分割筐体でケーブルを囲うようにしたため、穴にケーブルを通し忘れたり、通す方向を間違えたりすることを抑制し、配線作業を容易に行うことができる。
【図面の簡単な説明】
【０００９】
【図１】本発明の実施の形態に係るエネルギー計測装置の分解斜視図である。
【図２】本発明の実施の形態に係るエネルギー計測装置の筐体及び分割筐体の取り付け前の正面斜視図である。
【図３】本発明の実施の形態に係るエネルギー計測装置の筐体及び分割筐体の右側の嵌合部周辺の背面概略図である。
【図４】本発明の実施の形態に係るエネルギー計測装置の筐体及び分割筐体の右側の嵌合部周辺の背面斜視図である。
【図５】本発明の実施の形態に係るエネルギー計測装置の基板のコネクタに接続するケーブルを設置面に開けた引き出し穴から引き出す際の一例を示す図である。
【図６】本発明の実施の形態に係るエネルギー計測装置の分割筐体の一部を切り欠いた図である。
【図７】本発明の実施の形態に係るエネルギー計測装置の分割筐体の切り欠き部からケーブルを引き出す際の一例を示す背面斜視図である。
【図８】本発明の実施の形態に係るエネルギー計測装置の分割筐体の切り欠き部からケーブルを引き出す際の一例を示す正面図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
エネルギー計測装置（以下、単に装置と称する場合がある）は、分電盤、ガスメーター、水道メーターなどと接続され、それらから得た情報を元に各種使用量を計測し、その結果を有線または無線でＰＣなどのモニタに出力するものである。
【００１１】
実施の形態．
図１は、本発明の実施の形態に係るエネルギー計測装置の分解斜視図である。
本実施の形態に係るエネルギー計測装置は、直方体形状（厳密に直方体でなくてもよい）であり、基板３と、電気品下カバー５と電気品上カバー２とからなる電気品箱と、ブッシング４と、前面意匠パネル１と、筐体６とで構成されている。
【００１２】
基板３は、電子部品が実装され、電気やガスなどのエネルギーを計測する機能を備えている。また、基板３は図示省略のコネクタを有し、駆動用の電力を供給する電源、分電盤から電力使用量を計測するための情報を伝達する電線、ＰＣなどのモニタに出力する情報を伝達する有線ＬＡＮなど（以下、それらをまとめてケーブルと称する）が接続される。
電気品箱は基板３を収納して保護するもので、電気品下カバー５と電気品上カバー２とからなる。電気品下カバー５は、基板３を裏面から保持する樹脂下カバー５ａと、樹脂下カバー５ａを覆う板金下カバー５ｂとで構成され、電気品上カバー２は、基板３を表面から覆い蓋をする樹脂上カバー２ａと、樹脂上カバー２ａを覆う板金上カバー２ｂとで構成されている。
【００１３】
板金上カバー２ｂ及び板金下カバー５ｂは金属製であり、それらで樹脂製の樹脂上カバー２ａ及び樹脂下カバー５ａを覆い、内部発火が外部に漏れないように、または外部発火が内部に侵入しないようにしている。
ブッシング４はゴム製であり、基板３のコネクタに接続するケーブルが板金下カバー５ｂ（または板金上カバー２ｂ）のエッジに触れて損傷しないように、それらエッジを覆いケーブルを保護するものであり、ケーブルを通す穴（引き込み口）が形成され、板金下カバー５ｂの（短手側の）一側面に形成されたＵ字形状のＵ字溝５ｂａに取り付けられてエッジを覆う。なお、ブッシング４は、作業者の指が板金下カバー５ｂ（または板金上カバー２ｂ）のエッジに触れて怪我しないように指を保護する役割も果たす。
【００１４】
前面意匠パネル１は樹脂製であり、電気品箱（板金上カバー２ｂ）の上側に取り付けられ、エネルギー計測装置の前面及び前面側側面の意匠を構成する着脱可能なパネルである。
筐体６は樹脂製であり、電気品箱（板金下カバー５ｂ）の下側に取り付けられ、エネルギー計測装置の背面及び背面側側面の意匠を構成し、また、ネジ受け８を有し、そのネジ受け８を壁面などの設置面に打ち込まれたネジに掛け、エネルギー計測装置を設置面に設置するためのものである。また、筐体６は、ケーブルの引き込み口側（下側）の側面に樹脂製の分割筐体７が着脱自在に取り付けられている。
【００１５】
次に、分割筐体７の筐体６への取り付け方法について説明する。
図２は、本発明の実施の形態に係るエネルギー計測装置の筐体６及び分割筐体７の取り付け前の正面斜視図である。
図２に示すように、分割筐体７は長手方向の左右側面側に、正面視してＴ字状（厳密にＴ字状でなくてもよい）の分割筐体側第一嵌合部７ａが、長手方向の中央に、穴を有する分割筐体側第二嵌合部７ｂが、それぞれ設けられている。また、筐体６はケーブルの引き込み口側（下側）の側面の左右に、Ｔ字状の分割筐体側第一嵌合部７ａを嵌合可能な形状の筐体側第一嵌合部６ａが、ケーブルの引き込み口側（下側）の側面の中央に、凸部を有する筐体側第二嵌合部６ｂが、それぞれ設けられている。
なお、以下に筐体側第一嵌合部６ａ及び分割筐体側第一嵌合部７ａを合わせて嵌合部とも称する。
【００１６】
分割筐体７を筐体６へ取り付ける際は、分割筐体７の左右の分割筐体側第一嵌合部７ａの背面側を、筐体６の左右の筐体側第一嵌合部６ａに筐体６の正面側から背面側にそれぞれ押し込む（図２の破線を参照）と同時に、分割筐体側第二嵌合部７ｂの穴を筐体側第二嵌合部６ｂの凸部に嵌める。そして分割筐体７は、筐体６の左右の筐体側第一嵌合部６ａの外側にそれぞれ設けられた左右のストッパー部６ｃ及び筐体側第二嵌合部６ｂと接触する位置で背面側への動きが抑制される。
【００１７】
図３は、本発明の実施の形態に係るエネルギー計測装置の筐体６及び分割筐体７の右側の嵌合部周辺の背面概略図、図４は、本発明の実施の形態に係るエネルギー計測装置の筐体６及び分割筐体７の右側の嵌合部周辺の背面斜視図である。なお、図３及び図４は右側のみの嵌合部周辺を示しているが、嵌合部は左右対称であり、左側も同様な図となる。
図３に示すように、筐体６の筐体側第一嵌合部６ａは、下側（図３のＢ方向）に突出した内側抑制部６ｄ、内側（図３のＣ方向）に突出した上側抑制部６ｅ、上側抑制部６ｅから上側（図３のＡ方向）に突出した下側抑制部６ｆを有している。
【００１８】
分割筐体７が筐体６に取り付けられた状態では、分割筐体側第二嵌合部７ｂが筐体側第一嵌合部６ａに嵌合している。その際、内側抑制部６ｄ、上側抑制部６ｅ、及び下側抑制部６ｆがＴ字状の分割筐体側第一嵌合部７ａを囲むように（部分的に）接触している。そして、内側抑制部６ｄは分割筐体７の内側への動き、上側抑制部６ｅは分割筐体７の上側への動き、下側抑制部６ｆは分割筐体７の下側への動き、をそれぞれ抑制している。さらに、ストッパー部６ｃが分割筐体７の外側側面７ｃと（部分的に）接触しており、分割筐体７の外側（図３のＤ方向）への動きを抑制している。
【００１９】
以上のように、分割筐体７を筐体６に取り付けた際に、筐体６のストッパー部６ｃ及び筐体側第二嵌合部６ｂで分割筐体７が背面方向に動くのを抑制し、筐体６の内側抑制部６ｄ、上側抑制部６ｅ、下側抑制部６ｆ、及びストッパー部６ｃで分割筐体７が上下左右方向（筐体６の正面側から背面側に向かう方向に対して垂直方向）に動くのを抑制しているため、分割筐体７が動かないように筐体６に固定することができる。また、分割筐体７が筐体６から動くと分割筐体７と筐体６との境目に段差が生じてしまい、意匠性を損なうが、分割筐体７が動かないように筐体６に固定することができるため、分割筐体７と筐体６との境目に段差が生じず、意匠性を損なわずに済む。
【００２０】
なお、分割筐体７及び筐体６は樹脂製であるため弾力性を有しており、分割筐体７を筐体６に取り付けた際に、筐体側第一嵌合部６ａと分割筐体側第一嵌合部７ａとが（部分的に）密着するようになっている。つまり、筐体側第一嵌合部６ａが分割筐体側第一嵌合部７ａを（部分的に）保持するため、正面方向においても一定以上の力を加えないと分割筐体７は動かないようになっている。
【００２１】
また、本実施の形態では、分割筐体７を筐体６へ取り付ける際は、分割筐体７の分割筐体側第一嵌合部７ａを筐体６の筐体側第一嵌合部６ａに筐体６の正面側から背面側に押し込む構造となっている。これは、エネルギー計測装置の設置スペースの関係上、装置を設置した際に横方向にスペースがなかったり、設置面に対して直交方向の厚さを減らすために装置の一部を設置面に埋め込んだりすることがあるが、これらの状況においても分割筐体７を筐体６へ取り付けられるようにするためである。
【００２２】
次に、ケーブル９を基板３のコネクタに接続する方法について説明する。
なお、ケーブル９を基板３のコネクタに接続する作業までは電気品上カバー２を取り外して行い、作業終了後に取り付けるが、以下この説明は省略する。
図５は、本発明の実施の形態に係るエネルギー計測装置の基板３のコネクタに接続するケーブル９を設置面に開けた引き出し穴１０から引き出す際の一例を示す図である。なお、（ａ）は分割筐体７を筐体６から取り外した状態、（ｂ）は分割筐体７を筐体６に取り付けた状態をそれぞれ示している。
【００２３】
設置面に穴を開けられるような場合は、設置面にエネルギー計測装置を設置した際に、板金下カバー５ｂの一側面に取り付けられたブッシング４の穴（引き込み口）と近くなる位置にケーブル９の引き出し穴１０を開け、そこからケーブル９を引き出してブッシング４の穴に通して基板３のコネクタに接続する。
その後、分割筐体７の分割筐体側第一嵌合部７ａの背面側を筐体６の筐体側第一嵌合部６ａに筐体６の正面側から背面側に押し込んで、分割筐体７を筐体６に取り付け、ケーブル９を分割筐体７で囲う（筐体６と分割筐体７とでケーブル９が通る空間を形成する）。
【００２４】
以上のように、筐体６の穴にケーブル９を通すのではなく、筐体６に分割筐体７を取り付けてケーブル９を分割筐体７で囲うようにしたため、筐体６の穴にケーブル９を通し忘れたり、通す方向を間違えたりすることを抑制し、配線作業を容易に行うことができる。
【００２５】
一方、設置面に穴を開けられないような場合は、ケーブル９を設置面からブッシング４の穴に直接通すことはできないため、エネルギー計測装置の側面から装置内にケーブル９を引き込んでからブッシング４の穴に通す必要がある。そのためには、ケーブル９を引き込むためのスペースを分割筐体７の一部に形成しなければならない。
【００２６】
図６は、本発明の実施の形態に係るエネルギー計測装置の分割筐体７の一部を切り欠いた図、図７は、本発明の実施の形態に係るエネルギー計測装置の分割筐体７の切り欠き部７ｄからケーブル９を引き出す際の一例を示す背面斜視図、図８は、本発明の実施の形態に係るエネルギー計測装置の分割筐体７の切り欠き部７ｄからケーブル９を引き出す際の一例を示す正面図である。
【００２７】
そこで、図６に示すように分割筐体７の側面の一部をニッパーなどで切り取り、切り欠き部７ｄを形成する。筐体６および分割筐体７は樹脂製であるためニッパーなどで切り取ることができる。また、筐体６および分割筐体７の側面の内側には図示省略の溝が形成されているため、溝に沿って切ることで切りやすく、さらには綺麗に切り取ることができるため、意匠性を損なわずに済む。なお、筐体６および分割筐体７の側面の内側には溝が複数形成されているため、溝に沿って任意の部分を切り取ることができる。
【００２８】
また、エネルギー計測装置の下側から装置内にケーブル９を引き込んでからブッシング４の穴に通す。その後、分割筐体７の分割筐体側第一嵌合部７ａを筐体６の筐体側第一嵌合部６ａに筐体６の正面側から背面側に押し込んで、分割筐体７を筐体６に取り付け、ケーブル９を分割筐体７で囲う。その際、図７及び図８に示すようにケーブル９が分割筐体７の切り欠き部７ｄを通るように取り付ける。
【００２９】
以上のように、分割筐体７の側面の一部を切り取り、切り欠き部７ｄを形成することにより、設置面に穴を開けられないような場合でもエネルギー計測装置の側面から装置内にケーブル９を引き込むことができる。
また、筐体６および分割筐体７の側面の内側には溝が複数形成されているため、溝に沿って任意の部分を切ることで切りやすく、さらには綺麗に切り取ることができるため、意匠性を損なわずに済む。
【符号の説明】
【００３０】
１  前面意匠パネル、２  電気品上カバー、２ａ  樹脂上カバー、２ｂ  板金上カバー、３  基板、４  ブッシング、５  電気品下カバー、５ａ  樹脂下カバー、５ｂ  板金下カバー、５ｂａ  （板金下カバーの）Ｕ字溝、６  筐体、６ａ  筐体側第一嵌合部、６ｂ  筐体側第二嵌合部、６ｃ  ストッパー部、６ｄ  内側抑制部、６ｅ  上側抑制部、６ｆ  下側抑制部、７  分割筐体、７ａ  分割筐体側第一嵌合部、７ｂ  分割筐体側第二嵌合部、７ｃ  外側側面、７ｄ  切り欠き部、８  ネジ受け、９  ケーブル、１０  引き出し穴。
【図１】
0005932729.tif 000002
【図２】
0005932729.tif 000003
【図３】
0005932729.tif 000004
【図４】
0005932729.tif 000005
【図５】
0005932729.tif 000006
【図６】
0005932729.tif 000007
【図７】
0005932729.tif 000008
【図８】
0005932729.tif 000009